(57)【特許請求の範囲】
【請求項１】
固定対象物に固定されるヒューズユニットであって、
前記固定対象物の設置面部に設置されるヒューズユニット本体と、
前記ヒューズユニット本体から突出して設けられて弾性を有した弾性部と、を備え、
前記弾性部は、
前記設置面部に沿って延びるアーム部と、
前記アーム部に連続して前記固定対象物の前記設置面部と交差する方向に延びる交差面部に沿って延びる屈曲部と、
前記屈曲部に設けられて前記固定対象物の係止部に係止される被係止部と、を有して形成され、
前記アーム部における前記屈曲部との連結部分には、該アーム部の基端部側に比して前記設置面部から離隔して設けられる離隔部が形成されていることを特徴とするヒューズユニット。
【請求項２】
被固定物を固定対象物に固定するための固定構造であって、
前記被固定物は、
前記固定対象物の設置面部に設置される被固定物本体と、
前記被固定物本体から突出して設けられて弾性を有した弾性部と、を備え、
前記弾性部は、
前記設置面部に沿って延びるアーム部と、
前記アーム部に連続して前記固定対象物の前記設置面部と交差する方向に延びる交差面部に沿って延びる屈曲部と、
前記屈曲部に設けられて前記固定対象物の係止部に係止される被係止部と、を有して形成され、
前記アーム部における前記屈曲部との連結部分には、該アーム部の基端部側に比して前記設置面部から離隔して設けられる離隔部が形成されており、
前記固定対象物は、前記設置面部から突出した電極を有し、この電極には、前記被固定物に電気的に接続される接続部材が固定され、
前記弾性部の前記アーム部は、前記被固定物本体から突出するとともに前記接続部材を挟んで一方側及び他方側に位置する第一アーム部及び第二アーム部と、これらの第一アーム部及び第二アーム部の先端同士を連結する第三アーム部と、を有して形成され、
前記屈曲部は、前記第三アーム部に連続して形成されていることを特徴とする固定構造。
【請求項３】
前記固定対象物は、前記設置面部及び前記交差面部の両方の面部に交差する第二交差面部と、この第二交差面部に設けられて前記電気部品を係止する第二係止部と、をさらに有して構成され、
前記被固定物は、前記被固定物本体から突出して設けられて弾性を有した第二弾性部をさらに備え、
前記第二弾性部は、前記第二交差面部に沿って延びる延出部と、この延出部に設けられて前記第二係止部に係止される第二被係止部と、を有して形成されていることを特徴とする請求項２に記載の固定構造。
【請求項４】
前記設置面部には、前記係止部及び前記第二係止部から離れた位置に嵌合部が形成され、
前記被固定物本体には、前記嵌合部に嵌合される被嵌合部が形成されていることを特徴とする請求項３に記載の固定構造。
【発明の詳細な説明】
【技術分野】
【０００１】
本発明は、被固定物、ヒューズユニット及び固定構造に関する。
【背景技術】
【０００２】
従来、固定対象物に対して被固定物を固定するための固定構造として、例えば、バッテリに対して電気部品（ヒューズやヒュージブルリンク等）を固定するための電気部品の固定構造が提案されている（例えば、特許文献１参照）。特許文献１に記載された電気部品の固定構造は、バッテリの電極ポストに固定されるバッテリ端子と、このバッテリ端子に接続されるヒューズユニットと、バッテリ端子に立設されたボルトを挿通可能な補強板と、を備えて構成されている。ヒューズユニットは、その電源側端子が補強板を介してバッテリ端子のボルトと、ナットとによって締結されることで、バッテリに固定されるようになっている。
【先行技術文献】
【特許文献】
【０００３】
【特許文献１】特開２０１３−３７９４９号公報
【発明の概要】
【発明が解決しようとする課題】
【０００４】
しかしながら、特許文献１に記載されたような従来の電気部品の固定構造では、電気部品（ヒューズユニット）が固定対象物（バッテリ）の突起部（電極ポスト）に固定される構成であるため、電気部品の全荷重が突起部に作用することとなり、突起部に対する負荷が大きくなってしまう。また、電気部品が固定対象物の突起部、接続部材（バッテリ端子）及びボルトを介して固定されているため、固定対象物から見て片持ち状に電気部品が支持されることとなり、振動や衝撃によって電気部品にがたつきや移動が生じやすくなり、安定した支持状態を維持するのが困難になるという問題がある。
【０００５】
本発明の目的は、固定対象物に対する負荷を軽減させるとともに被固定物（ヒューズユニット）の支持状態を安定させることができるヒューズユニット及び固定構造を提供することにある。
【課題を解決するための手段】
【０００７】
請求項１に記載された本発明のヒューズユニットは、固定対象物に固定されるヒューズユニットであって、前記固定対象物の設置面部に設置されるヒューズユニット本体と、前記ヒューズユニット本体から突出して設けられて弾性を有した弾性部と、を備え、前記弾性部は、前記設置面部に沿って延びるアーム部と、前記アーム部に連続して前記固定対象物の前記設置面部と交差する方向に延びる交差面部に沿って延びる屈曲部と、前記屈曲部に設けられて前記固定対象物の係止部に係止される被係止部と、を有して形成され、前記アーム部における前記屈曲部との連結部分には、該アーム部の基端部側に比して前記設置面部から離隔して設けられる離隔部が形成されていることを特徴とする。
【０００９】
以上のような本発明によれば、弾性部のアーム部における屈曲部との連結部分に離隔部が形成され、この離隔部が設置面部から離隔して設けられているので、屈曲部に設けられた被係止部を係止部に対して係止させる際、あるいは、被係止部を係止部から外す際に、設置面部に向かって離隔部が近づくようにアーム部を撓ませることができる。これにより、係止部に対する被係止部の係止動作や係止を解除する解除動作を容易にするとともに、係止状態においては、アーム部の復元力によって被係止部を係止部に強固に係止させることができる。従って、固定対象物に対する被固定物（ヒューズユニット）の支持状態を安定させることができる。さらに、固定対象物における係止部が交差面部に設けられているので、突起部などに被固定物（ヒューズユニット）を固定する場合と比較して、固定対象物に対する負荷を軽減させることができる。
【００１０】
請求項２に記載された固定構造は、被固定物を固定対象物に固定するための固定構造であって、前記被固定物は、前記固定対象物の設置面部に設置される被固定物本体と、前記被固定物本体から突出して設けられて弾性を有した弾性部と、を備え、前記弾性部は、前記設置面部に沿って延びるアーム部と、前記アーム部に連続して前記固定対象物の前記設置面部と交差する方向に延びる交差面部に沿って延びる屈曲部と、前記屈曲部に設けられて前記固定対象物の係止部に係止される被係止部と、を有して形成され、前記アーム部における前記屈曲部との連結部分には、該アーム部の基端部側に比して前記設置面部から離隔して設けられる離隔部が形成されており、前記固定対象物は、前記設置面部から突出した電極を有し、この電極には、前記被固定物に電気的に接続される接続部材が固定され、前記弾性部の前記アーム部は、前記被固定物本体から突出するとともに前記接続部材を挟んで一方側及び他方側に位置する第一アーム部及び第二アーム部と、これらの第一アーム部及び第二アーム部の先端同士を連結する第三アーム部と、を有して形成され、前記屈曲部は、前記第三アーム部に連続して形成されていることを特徴とする。
【００１１】
このような構成によれば、アーム部が第一アーム部、第二アーム部及び第三アーム部によって形成され、第三アーム部に連続して屈曲部が形成されているので、接続部材及び電極（ポスト）を挟んで被固定物本体と反対側の離れた位置に屈曲部及び被係止部を形成することができる。従って、被係止部を係止部に係止させた状態において、その係止力の被固定物本体に対する作用距離が大きくなることから、被固定物の支持状態をより安定させることができる。さらに、第一、第二及び第三のアーム部によって囲まれた内部に接続部材及び電極が位置することとなり、接続部材や電極に被固定物の荷重を作用させないようにして、固定対象物に対する負荷をさらに軽減させることができる。
【００１２】
請求項３に記載された固定構造は、請求項２に記載の固定構造において、前記固定対象物は、前記設置面部及び前記交差面部の両方の面部に交差する第二交差面部と、この第二交差面部に設けられて前記電気部品を係止する第二係止部と、をさらに有して構成され、前記被固定物は、前記被固定物本体から突出して設けられて弾性を有した第二弾性部をさらに備え、前記第二弾性部は、前記第二交差面部に沿って延びる延出部と、この延出部に設けられて前記第二係止部に係止される第二被係止部と、を有して形成されていることを特徴とする。
【００１３】
このような構成によれば、前述した係止部と被係止部との係止に加えて、第二弾性部の第二係止部を第二被係止部に係止させることで、被固定物の支持強度を高めて、支持状態をより一層安定させることができる。また、交差面部の係止部に加えて、交差面部と交差する第二交差面部に第二係止部が設けられているので、固定対象物における互いに交差する二面である交差面部及び第二交差面部から係止力を作用させることができ、設置面部に沿った平面方向における被固定物のがたつきや移動を効果的に抑制することができる。
【００１４】
請求項４に記載された固定構造は、請求項３に記載の固定構造において、前記設置面部には、前記係止部及び前記第二係止部から離れた位置に嵌合部が形成され、前記被固定物本体には、前記嵌合部に嵌合される被嵌合部が形成されていることを特徴とする。
【００１５】
このような構成によれば、係止部及び第二係止部から離れた位置に形成された嵌合部と、被固定物本体に形成された被嵌合部と、を互いに嵌合させることで、被固定物の支持強度をさらに高めて支持状態を安定させることができる。
【発明の効果】
【００１６】
本発明の被固定物、ヒューズユニット及び固定構造によれば、アーム部の被係止部を係止部に係止させて、被固定物（ヒューズユニット）を固定対象物に固定することで、固定対象物に対する負荷を軽減させることができるとともに、被固定物（ヒューズユニット）の支持状態を安定させることができる。
【図面の簡単な説明】
【００１７】
【図１】本発明の実施形態に係る固定構造を示す分解斜視図である。
【図２】前記固定構造を分解して示す正面図である。
【図３】前記固定構造で固定される被固定物の平面図である。
【図４】前記固定構造で固定される被固定物の底面図である。
【図５】前記固定構造を分解して示す一方の側面図である。
【図６】前記固定構造を分解して示す他方の側面図である。
【図７】前記固定構造の作用を示す断面図である。
【発明を実施するための形態】
【００１８】
以下、本発明の実施形態を図面に基づいて説明する。図１〜３に示すように、本実施形態の電気部品の固定構造は、車両に搭載されるバッテリ（固定対象物）１０に対して被固定物としてのヒューズユニット（ヒュージブルリンクとも言う）２０を固定するための固定構造である。ヒューズユニット２０は、バッテリ１０の電極端子（後述するポスト１４）と負荷との間に配置されて、過電流や通電時の温度上昇を防止するものであって、過電流が流れると溶解する複数の可溶部を有したバスバーを内蔵して構成されている。
【００１９】
バッテリ１０は、バッテリ本体を収容するロアケース１１と、このロアケース１１の上部を覆うアッパーケース１２と、を備えた箱状に形成され、アッパーケース１２には、正負の電極端子である左右一対のポスト１３，１４が上方に突出して設けられている。アッパーケース１２は、上面部（設置面部）１５と、上面部１５に連続して四周に垂下された４つの側面部（交差面部）１６と、を有して蓋状に形成されている。また、上面部１５は、上方に位置する第一上面部１５１と、ポスト１３の周辺にて第一上面部１５１よりも下がった第二上面部１５２と、ポスト１４の周辺にて第一上面部１５１よりも下がった第三上面部１５３と、第二上面部１５２と第三上面部１５３とに亘って正面側（図１の左下側）の側面部１６に沿った第四上面部１５４（図５、６参照）と、を有して段付き状に形成されている。
【００２０】
ヒューズユニット２０は、ヒューズユニット本体（被固定物本体）として、バスバーをインサート成形により一体に内蔵した図示しないユニット本体と、このユニット本体を支持してバッテリ１０に設置されるベース体２１と、を有して構成されている。ユニット本体には、バスバーに接続された複数の端子が突設され、これらの端子は、電線を介して負荷に接続されている。また、ユニット本体には、バッテリ１０のポスト１４に接続される電源側端子が突設され、この電源側端子は、バスバー及びバッテリターミナル２２を介してポスト１４に接続されている。バッテリターミナル２２は、ポスト１４にネジ止め固定される接続部材であって、バッテリターミナル２２には、接続されたバスバーをナットで締め付け固定するためのボルト２２１が設けられている。
【００２１】
ベース体２１は、樹脂製一体成形品であって、アッパーケース１２の第一上面部１５１に載置されるベース板部２１１と、このベース板部２１１の三方の端縁から立ち上がる壁部２１２と、左右の壁部２１２に近接して立ち上がる左右一対のロック部２１３と、ベース板部２１１前方側の端縁から立ち下がる前面壁部２１４と、ベース板部２１１側方側の端縁から立ち下がる側面壁部２１５と、を有して形成されている。ユニット本体は、ベース板部２１１の上面側にて三方の壁部２１２に囲まれるとともに、ロック部２１３に係合されることで、ベース体２１に連結固定されている。
【００２２】
このベース体２１は、ベース板部２１１がアッパーケース１２の第一上面部１５１に載置され、前面壁部２１４の下端縁が第四上面部１５４に載置され、側面壁部２１５の下端縁が第三上面部１５３に載置されることで、アッパーケース１２の上面部１５に設置され、すなわち、アッパーケース１２の上面部１５によって設置面部が構成されている。また、アッパーケース１２の第一上面部１５１には、嵌合部としての位置決め孔１９が形成され、ベース体２１のベース板部２１１の底面には、下方に突出して位置決め孔１９に嵌合可能な被嵌合部としての位置決め突起２１６（図４、６参照）が形成されている。また、ベース体２１には、側面壁部２１５よりも側方に突出して設けられる金属製の第一弾性部材（弾性部）３０と、前面壁部２１４よりも前方に突出して設けられる金属製の第二弾性部材（第二弾性部）４０と、が固定されている。
【００２３】
第一弾性部材３０は、ベース板部２１１の裏面に固定されるとともに側面壁部２１５に沿って下方に延びる基端部３１と、基端部３１に連続して側面壁部２１５の前側（一方側）から側方に延びる第一アーム部３２と、基端部３１に連続して側面壁部２１５の後側（他方側）から側方に延びる第二アーム部３３と、これらの第一アーム部３２及び第二アーム部３３の先端同士を連結する第三アーム部３４と、第一アーム部３２及び第三アーム部３４に連続して下方に折れ曲がる屈曲部３５と、この屈曲部３５に設けられる被係止部３６と、第一アーム部３２の側面に連続して前方に延びて下方に折れ曲がる当接部３７と、を有して金属板材から打ち抜き加工及び折り曲げ加工により一体成形されている。
【００２４】
第一アーム部３２は、アッパーケース１２の第三上面部１５３における一方側である前方側端縁近傍に沿って延び、第二アーム部３３は、第三上面部１５３における他方側である後方側端縁近傍に沿って延び、第三アーム部３４は、第三上面部１５３における側方側端縁近傍に沿って延び、これらの第一〜第三のアーム部３２，３３，３４によって、ポスト１４及びバッテリターミナル２２の三方が囲まれている。この際、第一〜第三のアーム部３２，３３，３４は、ポスト１４及びバッテリターミナル２２には接触せず、これらに対して力が作用せずかつ電気的にも非接続となっている。
【００２５】
屈曲部３５は、第一アーム部３２と第三アーム部３４との連結部分から折れ曲がり、アッパーケース１２における側面側の側面部１６Ａに沿って下方に延びて設けられている。この屈曲部３５の下端部には、側面部１６Ａから離れる方向に曲がった操作部３５１が形成されている。被係止部３６は、屈曲部３５からアッパーケース１２側に折り曲げられるとともに、上方に折り曲げられて形成され、アッパーケース１２の側面部１６Ａの下端縁（係止部）１７に係止されるようになっている。当接部３７は、アッパーケース１２の前面側の側面部１６Ｂに沿って下方に延び、この側面部１６Ｂに当接するようになっている。
【００２６】
第一アーム部３２の先端側である屈曲部３５との連結部分には、第三上面部１５３から離隔して設けられる第一離隔部３８が形成されている。この第一離隔部３８は、第一アーム部３２を先端側に向かって上方に傾斜させて屈曲させることで形成されている。また、第三アーム部３４の一方側である屈曲部３５との連結部分には、第三上面部１５３から離隔して設けられる第二離隔部３９が形成されている。この第二離隔部３９は、第三アーム部３４を一方側に向かって上方に傾斜させて屈曲させることで形成されている。このような第一離隔部３８及び第二離隔部３９は、第三上面部１５３の上方に位置し、第三上面部１５３との間に所定の隙間を介して対向して設けられている。
【００２７】
第二弾性部材４０は、ベース板部２１１の裏面に固定される固定部４１と、この固定部４１に連続して下方に折れ曲がって延びる延出部４２と、を有して全体Ｌ字状に形成され、金属板材から打ち抜き加工及び折り曲げ加工により一体成形されている。延出部４２は、アッパーケース１２における前面側の側面部（第二交差面部）１６Ｂよりも下方まで延びて設けられ、その下端部には、アッパーケース１２の側面部１６Ｂから離れる方向に曲げられた操作部４３が形成されている。この操作部４３の上側には、アッパーケース１２側に折れ曲がって側面部１６Ｂの下端縁（第二係止部）１８に係止される第二被係止部４４が形成されている。第二被係止部４４は、アッパーケース１２側に折り曲げられるとともに、上方に折り曲げられて形成されている。
【００２８】
以上の第一弾性部材３０は、図７（Ａ）に示すように、その被係止部３６がアッパーケース１２の側面部１６Ａの下端縁１７に係止される。この係止状態において、第一弾性部材３０の第一アーム部３２及び第三アーム部３４は、それらの屈曲部３５との連結部分に形成された第一離隔部３８及び第二離隔部３９と、第三上面部１５３と間に隙間が形成された状態で設けられている。すなわち、第一離隔部３８及び第二離隔部３９の下面と、第三上面部１５３の上面と間には、第一アーム部３２及び第三アーム部３４を弾性変形させるための撓み代Ａが形成されている。一方、被係止部３６は、その先端が係止部である側面部１６Ａの下端縁１７から係り代Ｂだけ上方に位置して係止されている。この係り代Ｂは、撓み代Ａと同程度かあるいは撓み代Ａよりも若干小さな寸法となるように設定されている。このような係り代Ｂを有して被係止部３６が下端縁１７に係止されることで、その係止強度が高められている。
【００２９】
一方、第一弾性部材３０をアッパーケース１２から取り外す場合には、図７（Ｂ）に示すように、操作部３５１を持って屈曲部３５を下方に引き下げ、これにより第一アーム部３２及び第三アーム部３４の付勢力に抗して第一離隔部３８及び第二離隔部３９を第三上面部１５３に近づけ、被係止部３６を下端縁１７よりも下方に位置させる。さらに、図７（Ｂ）に二点鎖線で示すように、操作部３５１を側面部１６Ｂから離れる方向に引いて被係止部３６を下端縁１７から離脱させてから、操作部３５１を離すことで、第一アーム部３２及び第三アーム部３４が初期状態に復元して屈曲部３５が上方に移動し、被係止部３６が側面部１６Ｂの外側に位置して係止状態が解除される。再び係止状態とするためには、操作部３５１を引き下げて第一離隔部３８及び第二離隔部３９を第三上面部１５３に近づけ、下端縁１７の下側に被係止部３６を通しながら屈曲部３５を側面部１６Ｂに近づけることで、被係止部３６を側面部１６Ｂの下端縁１７に係止させればよい。
【００３０】
このような本実施形態によれば、以下のような効果がある。即ち、バッテリ１０の設置面部である上面部１５に電気部品としてのヒューズユニット２０を設置するとともに、アッパーケース１２の交差面部である側面部１６Ａにおける下端縁（係止部）１７に第一弾性部材３０の被係止部３６が係止されることで、バッテリ１０にヒューズユニット２０が支持される。この支持状態において、第一弾性部材３０における第一アーム部３２及び第三アーム部３４の第一離隔部３８及び第二離隔部３９が第三上面部１５３から離隔して設けられ、被係止部３６が下端縁１７に係り代Ｂを有して係止されることで、その係止強度を高めることができ、ヒューズユニット２０の支持状態を安定させることができる。
【００３１】
また、第一弾性部材３０における第一離隔部３８及び第二離隔部３９が第三上面部１５３から撓み代Ａだけ離隔して設けられているので、被係止部３６を側面部１６Ａの下端縁１７に対して係止させる際、あるいは、被係止部３６を下端縁１７から外す際に、撓み代Ａの分だけ第三上面部１５３に近づくように第一アーム部３２及び第三アーム部３４を撓ませることができる。これにより、被係止部３６の係止動作や係止を解除する解除動作を容易にするとともに、係止状態においては、第一アーム部３２及び第三アーム部３４の復元力によって被係止部３６の係止状態を安定させることができる。
【００３２】
さらに、バッテリ１０における係止部がアッパーケース１２の側面部１６Ａにおける下端縁１７で構成されるとともに、ポスト１４が第一弾性部材３０の第一〜第三のアーム部３２，３３，３４によって囲まれ、このポスト１４に第一弾性部材３０が接触しないようになっているので、ポスト１４に対してヒューズユニット２０の固定力が作用しないようにできる。従って、バッテリ１０から突出した突起部であるポスト１４に対して片持ち状にヒューズユニット２０を固定する従来の構造と比較して、バッテリ１０に対する負荷を大幅に軽減させることができる。
【００３３】
また、第一弾性部材３０が第一アーム部３２、第二アーム部３３及び第三アーム部３４を有し、バッテリ１０のポスト１４及びバッテリターミナル２２を挟んでヒューズユニット２０の本体（ベース体２１）と反対側に位置する第三アーム部３４に、屈曲部３５及び被係止部３６が形成されている。従って、係止状態において、ヒューズユニット２０の本体に対し、被係止部３６から作用する係止力の作用距離が大きくなることから、ヒューズユニット２０の支持状態をより安定させることができる。
【００３４】
さらに、ヒューズユニット２０に第二弾性部材４０が設けられ、その第二被係止部４４を第二被係止部である側面部１６Ｂの下端縁１８に係止させることで、ヒューズユニット２０の支持強度を高めて、支持状態をより一層安定させることができる。この際、互いに交差して設けられた側面部１６Ａ，１６Ｂの下端縁１７，１８によって係止部及び第二係止部が構成されているので、バッテリ１０における互いに交差する二面である側面部１６Ａ，１６Ｂによって係止力を作用させることができ、上面部１５に沿った平面方向におけるヒューズユニット２０のがたつきや移動を効果的に抑制することができる。
【００３５】
また、アッパーケース１２において、係止部である側面部１６Ａの下端縁１７及び第二係止部である側面部１６Ｂの下端縁１８から離れた位置に嵌合部として位置決め孔１９が形成され、この位置決め孔１９に嵌合可能な被嵌合部としての位置決め突起２１６がベース板部２１１の底面に形成されている。従って、位置決め突起２１６を位置決め孔１９に嵌合させることで、アッパーケース１２に対してヒューズユニット２０を三点で支持することができ、支持強度をさらに高めて支持状態を安定させることができる。
【００３６】
なお、本発明は、前記実施形態に限定されるものではなく、本発明の目的が達成できる他の構成等を含み、以下に示すような変形等も本発明に含まれる。例えば、前記実施形態では、固定対象物としてバッテリ１０を例示し、このバッテリ１０に被固定物であり電気部品としてのヒューズユニット２０が固定される電気部品の固定構造について説明したが、固定対象物としては、バッテリ１０に限らず、任意の物品であってもよく、被固定物としては、ヒューズユニット２０などの電気部品に限らず、任意の物品であってもよい。また、電気部品としては、ヒューズユニット２０に限らず、適宜な電気的機能を有した部品であれば任意のものが採用可能である。
【００３７】
また、前記実施形態では、バッテリ１０に設けられる係止部がアッパーケース１２の側面部１６Ａの下端縁１７によって構成されていたが、係止部は、下端縁１７に限らず、バッテリ１０における任意の位置に設けられていればよい。また、係止部は、側面部（交差面部）１６Ａの下端縁１７のような平坦な部位で構成されたものに限らず、交差面部に形成した孔や凹みであってもよいし、突起であってもよいし、さらには、交差面部に取り付けた別部材によって構成されていてもよい。また、前記実施形態では、バッテリ１０のアッパーケース１２における上面部１５を設置面部とし、側面部１６を交差面部とし、電気部品であるヒューズユニット２０をバッテリ１０の上側に載置する構成としたが、電気部品がバッテリの側面や底面を設置面部として設置されてもよく、その場合には、バッテリの側面や底面と交差する面に係止部が設けられていればよい。
【００３８】
また、前記実施形態では、ヒューズユニット２０におけるヒューズユニット本体（被固定物本体）としてのベース体２１と、金属製の第一弾性部材３０及び第二弾性部材４０とが別体で構成され、これらの弾性部材３０，４０に被係止部３６及び第二被係止部４４が設けられていたが、これに限らず、被係止部が電気部品本体に一体に設けられていてもよい。また、弾性部材に被係止部を設ける場合であっても、前記実施形態のように、弾性部材３０，４０の一部を切り起こして被係止部が形成されるものに限らず、弾性部材の一部を切り欠いて被係止部を形成してもよいし、弾性部材に固定した別部材によって被係止部を構成してもよい。
【００３９】
また、前記実施形態では、第一弾性部材３０が第一アーム部３２、第二アーム部３３及び第三アーム部３４を有して構成されていたが、これに限らず、第一弾性部材（弾性部）は、少なくとも１つのアーム部と、このアーム部に連続する屈曲部と、この屈曲部に設けられる被係止部と、アーム部と屈曲部との連結部分に設けられる離隔部と、を有していればよい。また、前記実施形態の第一弾性部材３０では、第一アーム部３２及び第二アーム部３３の先端部同士が第三アーム部３４で連結されていたが、これに限らず、第三アーム部３４が省略され、第一アーム部３２と第二アーム部３３とが互いに独立して設けられていてもよい。この場合には、第一アーム部３２及び第二アーム部３３の先端側にそれぞれ屈曲部、被係止部、離隔部が形成されていてもよい。
【００４０】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
１０      バッテリ（固定対象物）
１３，１４  ポスト（電極）
１５      上面部（設置面部）
１６，１６Ａ  側面部（交差面部）
１６，１６Ｂ  側面部（第二交差面部）
１７      下端縁（係止部）
１８      下端縁（第二係止部）
１９      位置決め孔（嵌合部）
２０      ヒューズユニット（被固定物）
２１      ベース体（ヒューズユニット本体、被固定物本体）
２２      バッテリターミナル（接続部材）
３０      第一弾性部材（弾性部）
３２      第一アーム部（アーム部）
３３      第二アーム部（アーム部）
３４      第三アーム部（アーム部）
３５      屈曲部
３６      被係止部
３８      第一離隔部
３９      第二離隔部
４０      第二弾性部材（第二弾性部）
４２      延出部
４４      第二被係止部
２１６    位置決め突起（被嵌合部）
【図１】
0006498447.tif 000002
【図２】
0006498447.tif 000003
【図３】
0006498447.tif 000004
【図４】
0006498447.tif 000005
【図５】
0006498447.tif 000006
【図６】
0006498447.tif 000007
【図７】
0006498447.tif 000008